(57)【要約】【課題】ユーザが磁気ディスク装置をＰＣカードのスロットに対し着脱する際に、磁気ヘッドが位置する領域を指で押さえて、最悪の場合磁気ヘッドと磁気ディスクを損傷する可能性がある。【解決手段】磁気ディスク２と、磁気ディスク２を保持し回転させるスピンドルモータ１０２と、磁気ディスク２に対して情報の記録及び又は再生を行う磁気ヘッド３と、磁気ヘッド３を一端に保持し磁気ディスク２の半径方向へ移動させるアクチュエータと、電子部品が実装された回路基板とを有する磁気ディスク装置において、磁気ヘッド３からの信号を外部に伝達するコネクタを、回路基板の磁気ヘッドに近い側辺に取付ける。【選択図】  図１
2005032347.tif 000002
【特許請求の範囲】
【請求項１】
磁気ディスクと、前記磁気ディスクを回転駆動させるスピンドルモータと、前記磁気ディスクに対して情報を記録再生する磁気ヘッドと、前記磁気ヘッドを先端に保持するアクチュエータアームと、前記アクチュエータアームを回転可能に支持するピボットと、前記アクチュエータアームを駆動するＶＣＭと、前記磁気ヘッドからの信号を処理する電子部品と、前記電子部品を実装するカードと、前記カードに備えられたコネクタとを具備する磁気ディスク装置において、前記装置の外形寸法のうち長手寸法を有する前記装置の側部の一方に前記コネクタを配置し、前記外形寸法のうち短い方の寸法を有する両側部にガイドスロットを具備するとき、前記磁気ヘッドの動作範囲は、三辺が前記コネクタと前記ガイドスロットの長さとで特定される前記装置内の領域にあることを特徴とする磁気ディスク装置。
【請求項２】
前記外形寸法は、４２．８ｍｍ×３６．４ｍｍであることを特徴とする請求項１記載の磁気ディスク装置。
【請求項３】
磁気ディスクと、前記磁気ディスクを回転駆動させるスピンドルモータと、前記磁気ディスクに対して情報を記録再生する磁気ヘッドと、前記磁気ヘッドを先端に保持するアクチュエータアームと、前記アクチュエータアームを回転可能に支持するピボットと、前記アクチュエータアームを駆動するＶＣＭと、前記磁気ヘッドからの信号を処理する電子部品と、前記電子部品を実装するカードと、前記カードに備えられたコネクタとを具備した磁気ディスク装置において、前記装置の外形寸法のうち長手寸法を有する前記装置の側部のうち、前記ＶＣＭより前記磁気ヘッドに近い側の側部に前記コネクタを配置することを特徴とする磁気ディスク装置。
【請求項４】
磁気ディスクと、前記磁気ディスクを回転駆動させるスピンドルモータと、前記磁気ディスクに対して情報を記録再生する磁気ヘッドと、前記磁気ヘッドを先端に保持するアクチュエータアームと、前記アクチュエータアームを回転可能に支持するピボットと、前記アクチュエータアームを駆動するＶＣＭと、前記磁気ヘッドからの信号を処理する電子部品と、前記電子部品を実装するカードと、前記カードに備えられたコネクタとを具備した磁気ディスク装置において、前記装置の外形寸法のうち長手寸法を有する前記装置側部のうち一方に前記コネクタを配置するとき、前記磁気ヘッドは、前記長手寸法を有する側部のうち、前記コネクタを有する側部に近い側に位置することを特徴とする磁気ディスク装置。
【請求項５】
磁気ディスクと、前記磁気ディスクを回転駆動させるスピンドルモータと、前記磁気ディスクに対して情報を記録再生する磁気ヘッドと、前記磁気ヘッドを先端に保持するアクチュエータアームと、前記アクチュエータアームを回転可能に支持するピボットと、前記アクチュエータアームを駆動するＶＣＭと、前記磁気ヘッドからの信号を処理する電子部品と、前記電子部品を具備するカードと、前記カードに備えられたコネクタとを具備した磁気ディスク装置において、前記装置の外形寸法のうち長手寸法を有する前記装置側部のうち一方に前記コネクタを配置するとき、前記磁気ディスクから退避した前記磁気ヘッドを保持するランプ機構を、前記長手寸法を有する側部のうち、前記コネクタを有する側部に沿って設けたことを特徴とする磁気ディスク装置。
【請求項６】
前記外形寸法のうち短い方の寸法を有する両側部にガイドスロットを具備した請求項３乃至５のいずれか１項に記載の磁気ディスク装置。
【請求項７】
前記外形寸法は、４２．８ｍｍ×３６．４ｍｍである請求項６記載の磁気ディスク装置。
【請求項８】
磁気ディスクと、該磁気ディスクを保持し回転させるスピンドルモータと、前記磁気ディスクに対して情報の記録及び又は再生を行う磁気ヘッドと、該磁気ヘッドを一端に保持し前記磁気ディスクの半径方向へ移動させるアクチュエータと、電子部品が実装された回路基板と、該回路基板の前記磁気ヘッドに近い側辺に取付けられたコネクタとを具備することを特徴とする磁気ディスク装置。
【請求項９】
磁気ディスクと、該磁気ディスクを保持し回転させるスピンドルモータと、電子部品が実装されコネクタが側辺に取付けられた回路基板と、前記コネクタに近い側に位置し前記磁気ディスクに対して情報の記録及び又は再生を行う磁気ヘッドと、該磁気ヘッドを一端に保持し前記磁気ディスクの半径方向へ移動させるアクチュエータとを具備することを特徴とする磁気ディスク装置。
【請求項１０】
前記コネクタは前記回路基板の外形寸法のうち長手寸法を有する側辺に取付けられることを特徴とする請求項８または９記載の磁気ディスク装置。
【請求項１１】
前記磁気ヘッドが前記磁気ディスクから退避する際に乗り上げるランプ機構は前記コネクタの近傍に設けられることを特徴とする請求項８または９記載の磁気ディスク装置。
【請求項１２】
磁気ディスクと、該磁気ディスクを保持し回転させるスピンドルモータと、前記磁気ディスクに対して情報の記録及び又は再生を行う磁気ヘッドと、該磁気ヘッドを先端に保持するアクチュエータアームと、該アクチュエータアームをピボットを中心に回転させて前記磁気ヘッドを前記磁気ディスクの半径方向へ移動させるアクチュエータと、電子部品が実装された回路基板と、該回路基板の外形寸法のうち長手寸法を有する側辺であって前記アクチュエータから遠い側辺に取付けられたコネクタとを具備することを特徴とする磁気ディスク装置。
【請求項１３】
磁気ディスクと、該磁気ディスクを保持し回転させるスピンドルモータと、電子部品が実装されコネクタが長手寸法を有する側辺に取付けられた回路基板と、前記磁気ディスクに対して情報の記録及び又は再生を行う磁気ヘッドと、該磁気ヘッドを先端に保持するアクチュエータアームと、該アクチュエータアームをピボットを中心に回転させて前記磁気ヘッドを前記磁気ディスクの半径方向へ移動させる前記コネクタから遠い側に設けられたアクチュエータとを具備することを特徴とする磁気ディスク装置。
【請求項１４】
前記磁気ヘッドが前記磁気ディスクから退避する際に乗り上げるランプ機構は前記コネクタの近傍に設けられることを特徴とする請求項１２または１３記載の磁気ディスク装置。
【請求項１５】
ベースと、該ベースに固定されたスピンドルモータと、該スピンドルモータに保持され回転される磁気ディスクと、該磁気ディスクに対して情報の記録及び又は再生を行う磁気ヘッドと、前記ベースに固定され前記磁気ヘッドを一端に保持し前記磁気ディスクの半径方向へ移動させるアクチュエータと、電子部品が実装された回路基板と、該回路基板の前記磁気ヘッドに近い側辺に取付けられたコネクタと、前記ベースの前記コネクタの両側に位置する面に設けられたガイドスロットとを具備することを特徴とする磁気ディスク装置。
【請求項１６】
ベースと、該ベースに固定されたスピンドルモータと、該スピンドルモータに保持され回転される磁気ディスクと、該磁気ディスクに対して情報の記録及び又は再生を行う磁気ヘッドと、前記ベースに固定され前記磁気ヘッドを一端に保持し前記磁気ディスクの半径方向へ移動させるアクチュエータと、電子部品が実装された回路基板と、該回路基板の前記磁気ヘッドに近い側辺に取付けられたコネクタと、前記ベースの周囲を取り囲む衝撃吸収材と、該衝撃吸収材の前記コネクタの両側に位置する面に設けられたガイドスロットとを具備することを特徴とする磁気ディスク装置。
【請求項１７】
前記コネクタは前記回路基板の外形寸法のうち長手寸法を有する側辺に取付けられることを特徴とする請求項１５または１６記載の磁気ディスク装置。
【請求項１８】
前記磁気ヘッドが前記磁気ディスクから退避する際に乗り上げるランプ機構は前記コネクタの近傍に設けられることを特徴とする請求項１５または１６記載の磁気ディスク装置。
【発明の詳細な説明】
【０００１】
【発明の属する技術分野】
本発明は、磁気ディスク装置に関し、特に携帯用に適した小径ディスクを用いた小型磁気ディスク装置に関する。
【０００２】
【従来の技術】
磁気ディスク装置の大容量化、高記録密度化が進む一方で、情報家電への適用をはじめとした用途も広がり、個人が磁気ディスク装置を携帯して利用できるよう小型化、薄型化の要求も高まってきている。その結果、２．５型、３．５型磁気ディスク装置より小型かつ薄型で、例えば小型メモリカードの規格の一つであるコンパクトフラッシュ（Ｃｏｍｐａｃｔ  Ｆｌａｓｈ：サンディスク社の登録商標）に対応した携帯型の磁気ディスク装置が開発されている。
【０００３】
図６は、米国ＩＢＭ社が１９９９年に発売したマイクロドライブ（米国ＩＢＭ社の登録商標）の構成を示す図である。トップカバー５を外した状態を示すが、磁気ディスク装置１は小径（２５．４ｍｍ）の磁気ディスク２と、磁気ディスク２に情報の記録・再生を行う磁気ヘッド３とを有し、装置の側辺には磁気ヘッド３からの信号を外部装置へ伝達するコネクタ４が配置されている。図７にこの磁気ディスク装置１をＰＣカード８に装着する様子を示すが、ユーザはトップカバー５が取付けられた磁気ディスク装置１のコネクタ４が配置されている側と反対の領域７を指でつまみ、ＰＣカード８に装着する。磁気ディスク装置１の側面にはガイドスロット６が形成されており、ＰＣカード８のガイドレール９に案内されながら挿入され、磁気ディスク装置１のコネクタ４がＰＣカード８のスロット１０に嵌合されて装着される。
【０００４】
【発明が解決しようとする課題】
上記従来の技術では、磁気ディスク装置を装着対象物であるＰＣカードに対して着脱する際に、磁気ディスク装置の磁気ヘッドが存在する領域に圧力がかけられる。この領域に圧力がかけられるとトップカバーが変形し、磁気ヘッドと干渉を起こし、磁気ヘッドと磁気ディスクの接触による磨耗の原因となるし、磁気ディスクの磨耗によるデータ破損の原因ともなる。また、磁気ディスク装置の動作中に引き抜かれた場合には、上記トップカバーと磁気ヘッドの干渉によって、磁気ヘッドのリトラクト機構が妨害され、磁気ヘッドが磁気ヘッドの退避位置に戻ることができなくなる。装置が抜き取られることにより電源が遮断され、磁気ディスクの回転が停止する。停止した磁気ディスク上に磁気ヘッドが接触して位置すると、磁気ヘッドが磁気ディスクに吸着し装置起動時の故障の原因となる。
【０００５】
本発明の目的は、上記従来の問題を解決することであり、磁気ディスク装置が動作中にリーダから引き抜かれても磁気ヘッドが正常に動作可能な信頼性の高い磁気ディスク装置を提供することである。
【０００６】
【課題を解決するための手段】
磁気ディスク装置において、装置の外形寸法のうち長手寸法を有する装置の側部の一方にコネクタを具備し、外形寸法のうち短い方の寸法を有する両側部に装着対象物に装置を着脱する際のガイドとなるスロットを具備するとき、磁気ヘッドの動作範囲は、三辺が前記コネクタとガイドスロットの長さとで特定される装置内の領域にあることを特徴とする。
【０００７】
本発明の磁気ディスク装置において、コネクタは、ディスクに対向する面から見た外形寸法のうち長手寸法を有する側部に設けられ、この側部は、ボイスコイルモータより磁気ヘッドに近い側に位置することを特徴とする。
【０００８】
または、磁気ヘッドは、長い外形寸法を有する側部のうち、コネクタを有する側部に近い側に位置することを特徴とする。
【０００９】
更に、ディスクに対向する面から見た外形寸法のうち、短い外形寸法を有する側部に、装着対象物に対して着脱可能なガイドスロットが設けられていることを特徴とする。
【００１０】
このように、磁気ヘッドはコネクタに対して近い位置に設けられるので、ユーザが磁気ディスク装置を装着対象物に対して着脱する際であっても、外部からの荷重が直に磁気ヘッドに及ぶことを防止することができ、信頼性の高い磁気ディスク装置を提供できる。
【００１１】
【発明の実施の形態】
図１は、本発明の第１の実施例による磁気ディスク装置を示す斜視図であり、トップカバーを外した状態を示す。図２はトップカバー１１０を取付けた状態の斜視図である。図３は平面図である。図５は磁気ディスク装置がＰＣカードに挿入されたとき固定される領域と、磁気ヘッドの動作範囲を示す図である。
【００１２】
ベース１０１に固定されたスピンドルモータ１０２は、磁気ディスク２をクランプ１０３によって固定し、回転駆動させる。また、アクチュエータアーム１０４は先端に磁気ヘッド３を保持する。更に、アクチュエータアーム１０４は、ピボット１０５に回転可能に支持され、ベース１０１上に固定されたＶＣＭ（ボイスコイスモータ）１０６により回転駆動される。このようにアクチュエータアーム１０５が回転駆動されることで、磁気ヘッド３が磁気ディスク２の半径方向に移動され、所望の位置に位置決めされ、情報の記録再生、あるいは記録または再生が行われる。磁気ヘッド３からの信号は、ＦＰＣ（フレキシブルプリント回路）１０７を介し、電子部品１０８を実装する回路基板（ベース１０１の下に実装されている）の側辺に取付けられたコネクタ４によって磁気ディスク装置外部へと伝達される。
【００１３】
磁気ディスク装置１００の外形寸法の小型化に伴い、コネクタ４は、コンパクトフラッシュのフォームファクタで定められた外形寸法（４２．８ｍｍ×３６．４ｍｍ×５ｍｍ）のうち、ディスクに対向する面から見て長い方の寸法を有する装置の一側部に取付けられている。一方で、コンパクトフラッシュのフォームファクタで定められた外形寸法のうち、短い寸法を有する両側部に、コネクタ４の端子をＰＣカードとして使用するアダプタ側のスロットに挿入するためのガイドスロット１０９が設けられている。
【００１４】
図２は、上記実施例による磁気ディスク装置１００にトップカバー１１０を取付けたものを上面から見た図である。この磁気ディスク装置１００は、ベース１０１とトップカバー１１０とにより密閉されている。本実施例においては、ベース１０１をプレス加工によって形成しており、従来鋳造で形成されていたフレーム部分１１１を衝撃吸収材で形成し、ベース１０１を衝撃吸収材からなるフレーム１１１で取り囲む構成になっている。尚、ベース１０１は、従来のベースのようにフレーム１１１と一体的にアルミダイキャストによって形成されていてもよい。
【００１５】
本実施例では、コネクタ４が、ＶＣＭ１０６より磁気ヘッド３に近い側の側辺に設けられていることを特徴とする。換言すると、磁気ヘッド３は、長い外形寸法を有する側辺のうち、コネクタ４を設けた側辺に近い側に位置することを特徴とする。
【００１６】
また、ロード／アンロード方式の磁気ディスク装置においては、磁気ヘッド３は、磁気ディスク２から退避する際に、コネクタ４を設けた側部に沿って設けられたランプ機構１１２によって保持される。尚、ＣＳＳ（コンタクトスタートストップ）方式の磁気ディスク装置においては、このランプ機構１１２を設ける必要はない。
【００１７】
このように、磁気ヘッド３がコネクタ４に近い領域に存在し、ユーザが磁気ディスク装置をＰＣカードに着脱するときでも、図３に示すようにユーザの指等による外部からの荷重が直接及ぶ領域７には磁気ヘッド３は存在せず、反対側に位置するので、トップカバー１１０の変形の影響は受けず、磁気ヘッド３及び磁気ディスク２の吸着や磨耗による破損等の危険を回避し、信頼性の高い磁気ディスク装置を実現することができる。
【００１８】
図５に本実施例の磁気ディスク装置を上部及び両側面から見た図を示す。側部のうち、磁気ディスク２に対向する面から見て短い方の寸法を有する両側部には、ガイドスロット１０９がコネクタ４を有する側部に隣接するように設けられている。また、ガイドスロット１０９は、ＰＣカードのガイドレールに対応するように両側部の長手方向に所定長さを有する。本実施例において、磁気ヘッド３がアクチュエータアーム１０４によって磁気ディスク２上を動作する範囲を点線矢印で示すと、その動作範囲は、三辺がコネクタ４とガイドスロット１０９の長さとによって特定される磁気ディスク装置内の領域、すなわち、図５に示す「固定領域」の範囲内にある。
【００１９】
磁気ディスク装置１００をＰＣカード等のアダプタに装着するとき、ガイドスロット１０９が相手側ガイドレールに案内されて、コネクタ４がスロットに嵌合される。図５において「固定領域」として示された領域、つまり、同図の左右の側部をガイドスロット１０９、同図の下側の側部をコネクタ４で囲まれた磁気ディスク装置内の領域は固定され、囲まれていない他の領域は不安定となる。したがって、本実施例においては、磁気ヘッド３は、上述の固定領域内を動作範囲とするので、振動等の外的な力の影響を受けずに安定した記録再生動作を行うことができる。
【００２０】
図４は、本発明の第２の実施例による磁気ディスク装置を示す図である。本実施例の磁気ディスク装置の記録再生に関わる基本的な構造は、上記第１の実施例の磁気ディスク装置と同様である。
【００２１】
本実施例の磁気ディスク装置２００において、第１の実施例と異なる点は、コネクタ４から見て、磁気ディスク２と磁気ヘッド３との位置関係が異なることである。つまり、第１の実施例はコネクタ４側から見て、ＶＣＭ１０６がベース１０１の左上隅に配置され、ディスク２がベース１０１の右側に配置されているのに対し、本実施例の磁気ディスク装置２００は、コネクタ４側から見てＶＣＭ１０６がベース１０１の右上隅に配置され、磁気ディスク２がベース１０１の左側に配置された構造となっている。
【００２２】
本実施例においても、コネクタ４は、ＶＣＭ１０６より磁気ヘッド３に近い側のベース側部に設けられており、磁気ヘッド３がコネクタ４を設けた側のベース側部近傍に設けられている。
【００２３】
したがって、本実施例の構成によっても、第１実施例と同様、磁気ヘッド３及び磁気ディスク２の吸着や磨耗による破損等の危険を回避し、信頼性の高い磁気ディスク装置を実現することができる。
【００２４】
【発明の効果】
以上本発明によれば、ユーザが磁気ディスク装置を装着対象物から着脱する際であっても、外部からの荷重が直に磁気ヘッドに及ぶことを防止することができ、信頼性の高い磁気ディスク装置を提供することができる。
【図面の簡単な説明】
【図１】本発明の第１の実施例による小型磁気ディスク装置の構成を示す斜視図である。
【図２】本発明の第１の実施例による小型磁気ディスク装置をトップカバーを取付けた状態で示す斜視図である。
【図３】本発明の第１の実施例による小型磁気ディスク装置の平面図である。
【図４】本発明の第２の実施例による小型磁気ディスク装置の平面図である。
【図５】本発明の第１の実施例による小型磁気ディスク装置がＰＣカードに挿入されたとき固定される領域と、磁気ヘッドの動作範囲を示す図である。
【図６】従来の小型磁気ディスク装置の構成を示す平面図である。
【図７】小型磁気ディスク装置がＰＣカードに装着される様子を示す図である。
【符号の説明】
２…磁気ディスク、３…磁気ヘッド、４…コネクタ、１００，２００…磁気ディスク装置、１０１…ベース、１０２…スピンドルモータ、１０４…アクチュエータアーム、１０５…ピボット、１０６…ＶＣＭ、１０８…電子部品、１０９…ガイドスロット、１１０…トップカバー、１１１…衝撃吸収材（フレーム）、１１２…ランプ機構。
【図１】
2005032347.tif 000003
【図２】
2005032347.tif 000004
【図３】
2005032347.tif 000005
【図４】
2005032347.tif 000006
【図５】
2005032347.tif 000007
【図６】
2005032347.tif 000008
【図７】
2005032347.tif 000009